(57)【要約】【課題】作業員の作業負担が軽減できる板材運搬補助機能付きベストを提供すること。【解決手段】矩形の板材の運搬に用いる板材運搬補助機能付きベスト１であって、腰椎付近に当てられる板状の腰椎保護部１４を有し、身体の胴回りに巻き付けられる胴ベルト１０と、胴ベルト１０における身体の背面側の所定部位に基端部が固定され、身体の肩部に掛け回され、身体の正面側に引き下ろされて胴ベルト１０における所定部位に先端部が連結される一対のベルト体２０ａ、２０ａからなる肩掛けベルト２０と、肩掛けベルト２０の先端部にそれぞれ取り付けられる帯板状の金属板からなる本体部３０ｃ、及び当該本体部３０ｃの下部に形成され、矩形の板材の下端部に係合するボード受け部３０ａを有する受け金具３０と、を備える。【選択図】図１
2016216224.tif 000002
【特許請求の範囲】
【請求項１】
腰椎付近に当てられる板状の腰椎保護部を有し、身体の胴回りに巻き付けられる第１ベルト部と、
当該第１ベルト部における身体の背面側の所定部位に基端部が固定され、身体の肩部に掛け回され、身体の正面側に引き下ろされて前記第１ベルト部における所定部位に先端部が取り付けられる一対のベルト体からなる第２ベルト部と、
当該第２ベルト部の先端部にそれぞれ取り付けられ、矩形の板材の下端部に係合する溝状の受け部を有する受け金具と、を備えることを特徴とする板材運搬補助機能付きベスト。
【請求項２】
前記受け金具は、前記第２ベルト部の先端部から引出及び引込自在であり、
前記第２ベルト部は、引込んだ前記受け金具を収納する収納部を有することを特徴とする請求項１記載の板材運搬補助機能付きベスト。
【請求項３】
前記一対のベルト体における身体の胸部付近の部位に両端部がそれぞれ取り付けられ、前記一対のベルト体を互いに連結する第３ベルト部を備えることを特徴とする請求項１または２記載の板材運搬補助機能付きベスト。
【発明の詳細な説明】
【技術分野】
【０００１】
本発明は、石膏ボードのような大型の板材の運搬に適用される板材運搬補助機能付きベストに関する。
【背景技術】
【０００２】
従来より、作業員が、石膏ボードのような大型の矩形の板材を持ち運ぶ場合、片方の手で板材の下端の中央付近を支持し、もう片方の手で上端の中央付近を支持しながら石膏ボードを持ち上げて運搬している。この際、作業員は、両手が使えない状態でしかも石膏ボードを落とさないようにバランスを取りながら移動する必要があるため、無理な姿勢での作業となる場合が多い。特に、作業員の手や腰にかかる負担が大きくなる。
【０００３】
そこで、従来、特許文献１に記載されていような大型のガラス板または壁用建築パネルなどを安全にかつ身体に無理な姿勢を強いることなく板材を支持できるようにする運搬補助具が提案されている。この運搬補助具は、身体の首部または肩部に廻し掛け、大腿部上部に至る位置に両先端部分が引き下ろされるベルトと、このベルトの両先端部分取り付けられ、板材の下部に引っ掛け可能な断面略Ｌ字状の受け金具とを備え、身体の首部または肩部で板材を支持できるようにするものである。このような運搬補助具を使用することにより、大型の板材を持ち運ぶ際に作業員の手にかかる負担を軽減することができる。
【先行技術文献】
【特許文献】
【０００４】
【特許文献１】特開平１０−３３８３１７号公報
【発明の概要】
【発明が解決しようとする課題】
【０００５】
しかしながら、作業員の腰には依然として大きな負担がかかるため、作業員が大型の板材を持ち運ぶ作業を繰り返し行うことが困難であり、無理に作業を行うと作業員が腰を痛めてしまうおそれがある。その一方で、大型の板材の運搬作業が進まなければ、例えば、工事現場における作業の進捗に遅れが生じるおそれがある。
【０００６】
本発明は、このような問題点を解決し、作業員の作業負担が軽減できる板材運搬補助機能付きベストを提供することを目的とする。
【課題を解決するための手段】
【０００７】
前記目的を達成するため、本発明は、次に記載する構成を備えている。
【０００８】
（１）  腰椎付近に当てられる板状の腰椎保護部を有し、身体の胴回りに巻き付けられる第１ベルト部と、当該第１ベルト部における身体の背面側の所定部位に基端部が固定され、身体の肩部に掛け回され、身体の正面側に引き下ろされて前記第１ベルト部における所定部位に先端部が取り付けられる一対のベルト体からなる第２ベルト部と、当該第２ベルト部の先端部にそれぞれ取り付けられ、矩形の板材の下端部に係合する溝状の受け部を有する受け金具と、を備えることを特徴とする板材運搬補助機能付きベスト。
【０００９】
（１）によれば、第１ベルト部を作業員の胴に巻き付けることにより、腰椎が腰椎保護部によって固定されるため、重量物を持ち上げて運ぶ際に作業員の腰に掛かる負担を軽減することができる。また、受け金具によって板状部材の下端部が支持されるため、作業員が手で板状部材の上部あるいは側部を支持することによって、板状部材を安定して持ち運ぶことが可能になる。このように、作業員の作業負担が軽減できる板材運搬補助機能付きベストを提供することが可能になる。
【００１０】
（２）  （１）において、前記受け金具は、前記第２ベルト部の先端部から引出及び引込自在であり、前記第２ベルト部は、引込んだ前記受け金具を収納する収納部を有することを特徴とする板材運搬補助機能付きベスト。
【００１１】
（２）によれば、使用時以外において、受け金具を第２ベルト部に収納しておくことが可能になる。
【００１２】
（３）  （１）、（２）において、前記一対のベルト体における身体の胸部付近の部位に両端部がそれぞれ取り付けられ、前記一対のベルト体を互いに連結する第３ベルト部を備えることを特徴とする板材運搬補助機能付きベスト。
【００１３】
（３）によれば、第２ベルト部が作業員の肩から落下しないように、第２ベルト部を作業員の肩に掛けた状態で維持することが可能になる。
【発明の効果】
【００１４】
本発明によれば、作業員の作業負担が軽減できる板材運搬補助機能付きベストを提供することが可能になる。
【図面の簡単な説明】
【００１５】
【図１】本発明の一実施形態における板材運搬補助機能付きベスト１の外観を示す斜視図である。
【図２】受け金具３０の外観を示す斜視図である。
【図３】収納部２０ｂの内部及び収納部２０ｂの周辺の構成を示す側面図である。
【図４】本実施形態における板材運搬補助機能付きベスト１を作業員が着用した状態を示す正面図である。
【図５】作業員が板材運搬補助機能付きベスト１を着用して石膏ボード１００を運搬する様子を示す説明図である。
【図６】石膏ボードを支持する補助具１０２の構成を示す説明図である。
【図７】作業員が板材運搬補助機能付きベスト１及び補助具１０２を用いて石膏ボード１００を運搬する様子を示す説明図である。
【図８】本発明の他の実施形態における板材運搬補助機能付きベスト２の要部構成を示す説明図である。
【図９】本発明の他の実施形態における板材運搬補助機能付きベスト２の要部構成を示す説明図である。
【発明を実施するための形態】
【００１６】
以下、本発明の実施形態について、図面を参照しながら詳細に説明する。
図１は、本発明の一実施形態における板材運搬補助機能付きベスト１の外観を示す斜視図である。
【００１７】
板材運搬補助機能付きベスト１は、第１ベルト部に相当する胴ベルト１０と、第２ベルト部に相当する肩掛けベルト２０と、当て布２２と、第３ベルト部に相当する連結紐２４と、受け金具３０と、を備えている。
【００１８】
胴ベルト１０は、ベルト部１２、１２と、腰椎保護部１４と、バックル１６と、先端金具１８と、を備えている。
ベルト部１２、１２は、作業員の胴に巻き付ける長尺の帯体である。腰椎保護部１４は、作業員の腰椎に当てられる略長方形の板材からなり、作業員の腰椎付近に適合するように表面が湾曲している。
ベルト部１２及び腰椎保護部１４は、例えば、皮革によって構成されており、腰椎保護部１４の長手方向に対向する両側の短辺の中央部から、ベルト部１２、１２が延びている。
バックル１６は、片方のベルト部１２の先端部に固定され、先端金具１８は、もう片方のベルト部１２の先端部に固定される。
【００１９】
そして、腰椎保護部１４を作業員の腰椎に当てた状態でベルト部１２、１２を作業員の正面に回し、先端金具１８をバックル１６に挿入してベルト部１２、１２を連結する。これにより、胴ベルト１０が作業員の胴回りに装着される。
【００２０】
なお、図１に示す例においては、ベルト部１２と腰椎保護部１４とが一体であるが、それに限らず、ベルト部１２と腰椎保護部１４とが別体であってもよい、例えば、ベルト部１２として高所の作業員が身につける安全帯の胴ベルトに使用する帯体を適用し、腰椎保護部１４の長手方向両側部にスリットを形成してそのスリットにベルト部１２を通してもよい。
【００２１】
肩掛けベルト２０は、一対のベルト体２０ａ、２０ａと、収納部２０ｂ、２０ｂと、を備えている。
【００２２】
ベルト体２０ａ、２０ａは、高所の作業員が身につける安全帯の胴ベルトに使用する帯体からなる。一対のベルト体２０ａ、２０ａの基端部は、腰椎保護部１４の上側両端部にそれぞれ固定される。また、ベルト体２０ａ、２０ａの長さは、身体の肩部に掛け回されて、身体の正面側に引き下ろされた場合に、先端部が胴ベルト１０に到達する程度に設定されている。ベルト体２０ａ、２０ａの先端部は、ベルト部１２、１２にそれぞれ取り付けられる。このため、胴ベルト１０を胴回りに装着してベルト部１２、１２を肩に掛けた場合に、ベルト体２０ａ、２０ａの先端部は、作業員のへその下に位置付けられるバックル１６の両側に配置される。
【００２３】
収納部２０ｂ、２０ｂは、下方が開放された筒状に形成されており、後述する受け金具３０が収納される。収納部２０ｂ、２０ｂは、ベルト体２０ａ、２０ａにおける作業員の胸部の位置から他端までの部分に形成されており、ベルト体２０ａより若干太い布体における長手方向に延びる両端部を、ベルト体２０ａの長手方向に延びる両端部に縫い付けることによって構成される。
【００２４】
当て布２２は、作業員の背中に配置される略矩形の布からなり、当て布２２の両端部に一対のベルト体２０ａ、２０ａがそれぞれ縫い付けられる。
連結紐２４は、２本の帯状の紐部２４ａ、２４ａと、２本の紐部２４ａ、２４ａを連結する連結部材２４ｂとからなる。紐部２４ａ、２４ａの一端部は、ベルト体２０ａ、２０ａにおける作業員の胸部に相当する位置にそれぞれ縫い付けられる。連結部材２４ｂは、互いに連結及び分離可能な係合部２４ｃと被係合部２４ｄとからなり、係合部２４ｃは、一方の紐部２４ａの他端部に取り付けられ、被係合部２４ｄは、他方の紐部２４ａの他端部に取り付けられる。
【００２５】
受け金具３０は、肩掛けベルト２０の収納部２０ｂに収納され、詳細については後述するが、石膏ボードのような矩形の大型の板材の下端部を受ける金属部材である。
【００２６】
図２は、受け金具３０の外観を示す斜視図である。受け金具３０は、帯状の金属板からなり、長手方向の両端部が断面略Ｌ字状に形成されている。以下の説明の便宜上、受け金具３０における下方のＬ字部分をボード受け部３０ａ、上方のＬ字部分をフック部３０ｂ、金属板におけるボード受け部３０ａとフック部３０ｂとの間の部分を本体部３０ｃ、と称することにする。
【００２７】
ボード受け部３０ａは、金属板の長手方向の下端部を９０度折り曲げ、更にこの下端部の先端部分を上方に９０度折り曲げることによって溝状に構成される。ボード受け部３０ａの溝幅は、例えば石膏ボードの厚さよりも大きく設定されている。なお、ボード受け部３０ａの先端部には、曲げによって丸く形成されている。
【００２８】
フック部３０ｂは、金属板の長手方向の上端部を９０度折り曲げ、更にこの上端部の先端部分を下方に９０度折り曲げることによって鉤状に構成される。
【００２９】
また、受け金具３０には、受け金具３０の幅より若干長い長孔を有するリング金具３２が挿入される。このリング金具３２は、フック部３０ｂに係合する部材である。
【００３０】
図３は、収納部２０ｂの内部及び収納部２０ｂの周辺の構成を示す側面図である。図３（ａ）に示すように、収納部２０ｂ内において、リング金具３２が、ベルト体２０ａの先端部に配置されている。具体的には、リング金具３２は、長孔の方向がベルト体２０ａの長手方向に直角に交差するように配置され、布部材等によって揺動自在に取り付けられている。布部材等は、リング金具３２における片方の長辺部分を支持しているため、リング金具３２におけるもう片方の長辺部分は揺動可能である。
【００３１】
このリング金具３２の長孔に、受け金具３０が通される。この時、ボード受け部３０ａ及びフック部３０ｂが正面側に向けられる。
これにより、受け金具３０は、下方に引き出された場合に、図３（ｂ）に示すように、受け金具３０のフック部３０ｂがリング金具３２に係合するまで引き出し可能になる。受け金具３０を引き出す長さは、リング金具３２の位置によって規定される。本実施形態によれば、作業員が胴ベルト１０を胴に巻き付け、肩掛けベルト２０を両肩に掛けた状態において受け金具３０を引き出した場合に、ボード受け部３０ａが作業員の歩行の妨げにならないように、リング金具３２の位置が設定されている。
【００３２】
収納部２０ｂに下部には、下部の開口を開閉する蓋部３４が設けられている。蓋部３４は、開口を開閉することが可能な程度の大きさの布部材３６と、面ファスナ３８とからなる。
【００３３】
布部材３６は、一端部が収納部２０ｂの内部におけるベルト体２０ａの下部に縫い付けられ、他端部には、面ファスナ３８におけるループ側が固定されている。また、収納部２０ｂの外面の下部に面ファスナ３８におけるフック側が固定されている。そして、面ファスナ３８のループ側とフック側とを密着させることにより、収納部２０ｂの下部の開口が布部材３６によって閉鎖される。
【００３４】
また、ベルト体２０ａ、２０ａの先端部の裏側には、胴ベルト１０の両端部の幅より若干長い紐状部材３９がベルト体２０ａの長尺方向に沿って配置されており、この紐状部材３９の両端部がベルト体２０ａ、２０ａにそれぞれ縫い付けられている。そして、この紐状部材３９の内側に胴ベルト１０のベルト部１２、１２がそれぞれ通されることにより、肩掛けベルト２０の先端部が胴ベルト１０に取り付けられる。
【００３５】
図４は、本実施形態における板材運搬補助機能付きベスト１を作業員が着用した状態を示す正面図である。
作業員は、肩掛けベルト２０と胴ベルト１０とからなる環状部分に手を通して、肩掛けベルト２０を両肩に掛け、腰椎保護部１４を作業員の腰椎付近に配置した後、先端金具１８（図１参照）をバックル１６に挿入して作業員の胴に胴ベルト１０を装着する。更に、連結部材２４ｂの係合部２４ｃと被係合部２４ｄとを連結することにより、図４に示すように、板材運搬補助機能付きベスト１が作業員に装着される。
【００３６】
次に、本実施形態における板材運搬補助機能付きベスト１を用いた板材の運搬について説明する。なお、以下の説明においては、トラックの荷台に積載された矩形の石膏ボードを、作業員が運搬する場合を例として説明する。
【００３７】
まず、作業員は、板材運搬補助機能付きベスト１を着用した後、受け金具３０の本体部３０ｃを下方に引き出してボード受け部３０ａを胴ベルト１０の下方に位置付ける。
【００３８】
次に、作業員は、トラックの荷台から石膏ボード１００（図５参照）を水平に引き出す。石膏ボード１００が半分以上引き出されると、石膏ボード１００の下端が自重によって下方に移動して、石膏ボード１００が傾く。この時、作業員は、石膏ボード１００の下端部を支持しながら、石膏ボード１００の下端部を受け金具３０のボード受け部３０ａに載せる。ここで、石膏ボード１００の下端部がボード受け部３０ａに載せられると、胴ベルト１０が前方に引っ張られるため、腰椎保護部１４が腰椎部分に密着するようになり、以降の作業において、作業員の腰椎部分が腰椎保護部１４によって固定される。
【００３９】
そして、作業員は両手で石膏ボード１００の側部あるいは上部を支持し、石膏ボード１００の下端部を軸として、石膏ボード１００の上端部を作業員側に引き寄せるように回動させる。これにより、石膏ボード１００はボード受け部３０ａ上に立てられる。そして、図５に示すように、作業員が石膏ボード１００の上部あるいは側部を両手で支持することにより、石膏ボード１００は立てた状態で維持される。そして、作業員は、その状態を維持しながら石膏ボード１００を運搬する。
【００４０】
ところで、石膏ボード１００の縦幅が長い場合には、石膏ボード１００の上端部に作業員の手が届かないことがある。この場合、図６に示す補助具１０２が用いられる。図６に示すように、補助具１０２は、長尺の金属製のシャフト部１０３と、シャフト部１０３の基端部に設けられた略正三角形の環状の把持部１０４と、シャフト部１０３の先端部に形成された引掛部１０５と、把持部１０４に取り付けるグリップ１０６と、からなる。シャフト部１０３は、把持部１０４の一つの頂点を基端として、把持部１０４を形成する正三角形の仮想垂直二等分線に沿って延びている。グリップ１０６は、把持部１０４におけるシャフト部１０３が延びる頂点に対向する一辺を構成する棒状部分に固定されており、当該棒状部分の径を太くするものである。
【００４１】
図７は、作業員が板材運搬補助機能付きベスト１及び石膏ボード１００を用いて石膏ボード１００を運搬する様子を示す説明図である。トラックの荷台から石膏ボードを水平に引き出して、石膏ボード１００の下端部をボード受け部３０ａに載せた後、作業員は両手に補助具１０２のグリップ１０６をそれぞれ把持し、引掛部１０５を石膏ボード１００の上部に引っ掛けて、石膏ボードの上端部を作業員側に引き寄せるように回動させる。これにより、図７に示すように、石膏ボード１００はボード受け部３０ａ上に立てられる。そして、作業員が、補助具１０２を用いて石膏ボード１００の上部を支持することにより、石膏ボード１００はボード受け部３０ａ状に立てた状態で維持される。そして、作業員は、その状態を維持しながら石膏ボード１００を運搬する。
【００４２】
なお、板材運搬補助機能付きベスト１を着用しない場合あるいは石膏ボード１００を運搬しない場合には、受け金具３０を肩掛けベルト２０の収納部２０ｂに収納しておくことが望ましい。これにより、ボード受け部３０ａのＬ字部分が外側に突出しないため、ボード受け部３０ａが他の部材に引っ掛かってしまうことが低減する。
【００４３】
図８は、本発明の他の実施形態における板材運搬補助機能付きベスト２の要部構成を示す説明図である。なお、図８に示す他の実施形態の板材運搬補助機能付きベスト２において、図１〜５に示す板材運搬補助機能付きベスト１における部材と同一の部材あるいは同一機能の部材については、同一の符号を付して、詳細な説明は省略する。
図８に示す板材運搬補助機能付きベスト２は、図１〜４に示す板材運搬補助機能付きベスト１における肩掛けベルト２０及び受け金具３０に係る構成が一部異なっている。
【００４４】
板材運搬補助機能付きベスト２の肩掛けベルト２０は、板材運搬補助機能付きベスト１の肩掛けベルト２０における、収納部２０ｂを構成する布体及びリング金具３２がなく、一枚の帯状に形成されている。
【００４５】
板材運搬補助機能付きベスト２の受け金具３０は、図２に示す板材運搬補助機能付きベスト１の受け金具３０における上端部のフック部３０ｂの代わりに、図８に示すように、蝶番部３０ｄを形成したものである。蝶番部３０ｄは、肩掛けベルト２０におけるベルト体２０ａ、２０ａの先端部に固定されており、本体部３０ｃは正面側に回動する。なお、受け金具３０を構成する金属は、磁石が吸着可能なものとする。
【００４６】
また、肩掛けベルト２０には、磁石４０が固定されている。この磁石４０は、肩掛けベルト２０における、本体部３０ｃを回動させた場合にボード受け部３０ａが当接する部位に配置されている。
【００４７】
そして、作業員は、石膏ボード１００を運搬する作業を行う場合には、板材運搬補助機能付きベスト２を着用した後、受け金具３０を下方に回動させて、受け金具３０を肩掛けベルト２０の先端部から引き出した状態とする。また、板材運搬補助機能付きベスト２を着用しない場合あるいは石膏ボード１００を運搬しない場合に、受け金具３０を上方に回動させて、図９に示すように、ボード受け部３０ａを磁石４０に吸着させておく。このように、受け金具３０を回動自在に構成し、肩掛けベルト２０に磁石４０を固定した構成が、引込んだ受け金具３０を収納する収納部に相当する。
【００４８】
以上説明したように構成された本実施形態によれば、胴ベルト１０を作業員の胴に巻き付けることにより、腰椎が腰椎保護部１４によって固定されるため、重量物を持ち上げて運ぶ際に作業員の腰に掛かる負担を軽減することができる。また、受け金具３０によって石膏ボードのような大型で重量のある矩形の板状部材の下端部が支持されるため、作業員は、手で板状部材の上部あるいは側部を支持することによって、板状部材を安定して持ち運ぶことが可能になる。このように、作業員の作業負担が軽減できる板材運搬補助機能付きベスト１を提供することが可能になる。
【００４９】
また本実施形態によれば、受け金具３０を、使用時以外において肩掛けベルト２０に収納しておくことが可能になる。これにより、ボード受け部３０ａが外部に露出することが防止され、Ｌ字部分が他の部材に引っ掛かってしまうことを低減することが可能になる。特に他の実施形態においては、ボード受け部３０ａが磁石４０に吸着した状態では、ボード受け部３０ａのＬ字部分が外側に突出しないため、ボード受け部３０ａが他の部材に引っ掛かってしまうことをより確実に低減することが可能になる。
【００５０】
また本実施形態によれば、ベルト体２０ａ、２０ａを連結紐２４によって連結することにより、肩掛けベルト２０が作業員の肩から落下しないように、肩掛けベルト２０を作業員の肩に掛けた状態で維持することが可能になる。
【００５１】
以上、本発明の実施形態について説明したが、本発明の実施形態は、上述した実施形態に限るものではない。例えば、上述した実施形態における板材運搬補助機能付きベスト１は、基本的にベルト材によって構成されているが、それに限らず、例えば、袖のない前開きの着衣の裏側あるいは表側に、板材運搬補助機能付きベスト１における胴ベルト１０及び肩掛けベルト２０を縫い付けて、作業着として使用可能にしてもよい。
【符号の説明】
【００５２】
１、２  板材運搬補助機能付きベスト
１０  胴ベルト
１２  ベルト部
１４  腰椎保護部
１６  バックル
１８  先端金具
２０  胴ベルト
２０ａ  ベルト体
２０ｂ  収納部
２０ｃ  本体部
２２  当て布
２４  連結紐
２４ａ  紐部
２４ｂ  連結部材
２４ｃ  係合部
２４ｄ  被係合部
３０  受け金具
３０ａ  ボード受け部
３０ｂ  フック部
３０ｃ  本体部
３０ｄ  蝶番部
３２  リング金具
３４  蓋部
３６  布部材
３８  面ファスナ
３９  紐状部材
４０  磁石
１００  石膏ボード
１０２  補助具
１０３  シャフト部
１０４  把持部
１０５  引掛部
１０６  グリップ
【図１】
2016216224.tif 000003
【図２】
2016216224.tif 000004
【図３】
2016216224.tif 000005
【図４】
2016216224.tif 000006
【図５】
2016216224.tif 000007
【図６】
2016216224.tif 000008
【図７】
2016216224.tif 000009
【図８】
2016216224.tif 000010
【図９】
2016216224.tif 000011